(57)【特許請求の範囲】
【請求項１】
前面に開口部を設けた被加熱物を収納し加熱する加熱室と、前記開口部に対向して開閉自在に設けた扉と、前記加熱室に結合された高周波発生装置や、前記高周波発生装置を駆動する電源部や、前記高周波発生装置や電源部を冷却する冷却手段などからなる機械室とを備え、前記機械室を前記加熱室の下部に配し、前記加熱室開口前面下部に位置する前記機械室の前面に略前記扉の幅にわたり略扉の厚みの突起を配するとともに、前記機械室前面に冷却装置の吸気孔を設け、前記突起は先端部と加熱室開口前面当接部との間に窪みを設け、かつ、先端部より前記吸気孔に対向する面に向け傾斜を設けて当該傾斜に沿って前記吸気孔へ外気を導入させる構成とした高周波加熱装置。
【発明の詳細な説明】
【０００１】
【発明の属する技術分野】
本発明は電子レンジにおいて、加熱室と扉の間隙からの結露水や熱気の漏れ防止に対する構造に関する。
【０００２】
【従来の技術】
従来この種の高周波加熱装置は、特開平６−３４１４４号公報に記載されているようなものであった。
【０００３】
図５に示すように加熱室１の前面下部２に開口３を持つカバー４が設けられており、扉５と加熱室前面下部との間隙より熱気６を外気７とともに機体８の内部に取り込む構成となっている。
【０００４】
【発明が解決しようとする課題】
しかしながら上記従来の高周波加熱装置では、加熱室内で発生する熱気や蒸気も機体内に容易に侵入するため、機体内の電気部品が高温に曝され耐久性を損ねたり、侵入した蒸気によって機体が腐食したり、電気部品の絶縁劣化を招くといった課題があった。またカバーに堆積した食品カスなどを除去が困難で、非衛生的であるという課題があった。
【０００５】
【課題を解決するための手段】
本発明は上記課題を解決するため加熱室開口下部に突起を設け、前記突起は先端部と加熱室開口前面当接部との間に窪みを設け、かつ、先端部より前記吸気孔に対向する面に向け傾斜を設けて当該傾斜に沿って前記吸気孔へ外気を導入させる構成としたものである。
【０００６】
上記発明によれば、扉と加熱室前面下部との間隙から漏れる熱気や蒸気の侵入を突起で阻止することができるばかりでなく、結露した水が滴下した場合に、この水を窪みで受け止めることもでき、また、食品より生じる汚れなどが付着した場合も容易に清掃することができる。
【０００７】
【発明の実施の形態】
本発明の請求項１にかかる高周波加熱装置は、前面に開口部を設けた被加熱物を収納し加熱する加熱室と、前記開口部に対向して開閉自在に設けた扉と、前記加熱室に結合された高周波発生装置や、前記高周波発生装置を駆動する電源部や、前記高周波発生装置や電源部を冷却する冷却手段などからなる機械室とを備え、前記機械室を前記加熱室の下部に配し、前記加熱室開口前面下部に位置する前記機械室の前面に略前記扉の幅にわたり略扉の厚みの突起を配するとともに、前記機械室前面に冷却装置の吸気孔を設け、前記突起は先端部と加熱室開口前面当接部との間に窪みを設け、かつ、先端部より前記吸気孔に対向する面に向け傾斜を設けて当該傾斜に沿って前記吸気孔へ外気を導入させる構成としたものである。
【０００８】
そして、突起に設けた窪みが扉と加熱室開口下部との間隙より漏れる熱気や蒸気の侵入を阻止し、機体内の電気部品が高温や高湿に曝されることがなく信頼性，耐久性を向上させることができるばかりでなく、結露した水が滴下した場合に、この水を窪みで受け止めることもできる。また、食品より生じる汚れなどが付着した場合も容易に清掃することができる。
【０００９】
また、突起の設けた傾斜により扉と加熱室下部との間隙より漏れる熱気や蒸気と機械室前面より取り込む外気を分離することができる。
【００１０】
【実施例】
以下、本発明の実施例について図面を用いて説明する。
【００１１】
（参考例１）
図１は本発明の参考例１の高周波加熱装置の側面断面図を示す。また、図２は同高周波加熱装置の加熱室開口下部の詳細断面図である。
【００１２】
図１において、食品を収納し加熱する加熱室１には高周波発生手段であるマグネトロン９が高周波を伝送する導波管１０を介して配置されている。また、機体８の内部には送風装置であるプロペラファン１１とマグネトロン９の駆動電源部のインバータ電源１２が配置されている。加熱室１の開口面に対向する位置には、開閉自在に扉５が設けられている。加熱室開口部すなわち扉５の下部には突起１３が機体の底板１４に取り付けられている。
【００１３】
図２は加熱室開口下部の詳細断面図である。扉５は覗き窓部のファインダー部１５と電波漏洩阻止手段であるシール部１６とチョーク部１７と構造部材である外装部１８とチョークカバー部１９から構成されている。突起１３は底板１４にネジにより加熱室開口下部に固定されている。突起１３には開口前面の垂線（Ｙ−Ｙ’）の前ａ、後ｂに開口を有する深さｄの溝２０が設けられており、加熱室１内部で発生した蒸気や開口前面、ファインダー部１５に結露した水が滴下する場合に、この水を受け止める。更に、この突起１３を合成樹脂で構成すれば機体が腐食することがない。
【００１４】
（実施例１）
図３は本発明の実施例１の高周波加熱装置の側面断面図を示す。
【００１５】
本実施例において、参考例１と異なる点は、機体８内部の部品配置である。マグネトロン９、インバーター１２、プロペラファン１１は加熱室１の下部に配置されている。さらに加熱室１の開口面に対向する位置に設けられた扉５が支点２１により縦方向に開閉する点である。図４は加熱室開口下部の詳細断面図である。扉５は覗き窓部のファインダー部１５と電波漏洩阻止手段であるシール部１６とチョーク部１７と構造部材である外装部１８とチョークカバー部１９から構成されている。突起１３は底板１４にネジにより加熱室開口下部に固定されている。扉５の前面には機器の操作を行う操作パネル２２が設けられ扉５の下端は傾斜しており、支点２１を中心に回転し扉５を機器の縦方向に開閉する。この場合扉５の先端（Ｔ点）は円弧状（Ｒ−Ｒ’）の動きをする。回転の際、扉５先端と突起１３の間隙を最低１０ｍｍ以上設けるとともに突起１３の先端部と加熱室開口前面当接部との間に高さｈ１の窪み２３を設ける。また、底板前面部には吸気口２４があり、対向する機体８内部には送風装置であるプロペラファン１１を配置している。吸気孔２４より取り込む外気７の導入を促進するために突起１３には傾斜（ｈ２）が設けられているため、扉５と加熱室開口前面との間隙より漏れる熱気や蒸気と機体内に取り込む外気の分離が有効になされるばかりでなく、開口前面，ファインダー部１５に結露した水が滴下した場合に、この水を窪み２３で受け止めることもできる。また、食品より生じる汚れなどが付着した場合も容易に清掃することができる。
【００１６】
【発明の効果】
本発明にかかる高周波加熱装置によれば、突起に設けた溝が扉と加熱室開口下部との間隙より漏れる熱気や蒸気の侵入を阻止し、機体内の電気部品が高温や高湿に曝されることがなく信頼性，耐久性を向上させることができる。また、吸気孔から機体外に漏れる送風装置などからの騒音も低減することができる。
【００１７】
また、突起に窪みと傾斜を設けて当該傾斜に沿って吸気孔へ外気を取り込む構成としたことにより扉と加熱室下部との間隙より漏れる熱気や蒸気と機械室前面より取り込む外気を分離することができるばかりでなく、結露した水が滴下した場合に、この水を窪みで受け止めることもできる。また、食品より生じる汚れなどが付着した場合も容易に清掃することができる。
【図面の簡単な説明】
【図１】  本発明の参考例１における高周波加熱装置の側面断面図
【図２】  同高周波加熱装置の加熱室開口下部の詳細断面図
【図３】  本発明の実施例１における高周波加熱装置の側面断面図
【図４】  同高周波加熱装置の加熱室開口下部の詳細断面図
【図５】  従来例の高周波加熱装置の加熱室開口下部の詳細断面図
【符号の説明】
１  加熱室
４  カバー
５  扉
８  機体
９  マグネトロン
１１  プロペラファン
１２  インバータ
１３  突起
１４  底板
２０  溝
２２  操作パネル
２３  窪み
２４  吸気孔
【図１】
0003931431.tif 000002
【図２】
0003931431.tif 000003
【図３】
0003931431.tif 000004
【図４】
0003931431.tif 000005
【図５】
0003931431.tif 000006